(57)【特許請求の範囲】
【請求項１】
端部（１ｃ，２ａ）同士が回動自在に接合された噴管構成部材（１，２）の接合部（Ｓ）の外周に、前記噴管構成部材（１，２）間の回動を規制及び規制解除自在の回動規制手段（３）を設けた噴管構成部材の接合構造であって、前記回動規制手段（３）が、前記噴管構成部材の一方（１）に架設された軸（２０）と、該軸（２０）に回動自在に支持され、該軸（２０）から離れた位置に係合凹部（２２）を有するバックル片（２１）と、前記噴管構成部材の他方（２）に基部（１８ａ）が軸支され、前記係合凹部（２２）に先端部（１８ｂ）が着脱自在に係止可能な係止リング（１８）と、を備え、該係止リング（１８）の前記先端部（１８ｂ）が、前記係止リング（１８）の前記基部（１８ａ）と前記軸（２０）とを結ぶ中立線（Ｃ−Ｃ）を越えるように前記バックル片（２１）を回動操作したとき、前記噴管構成部材の一方（１）に対する他方（２）の回動規制および回動規制解除を可能にしたことを特徴とする噴管構成部材の接合構造。
【発明の詳細な説明】
【０００１】
【発明の属する技術分野】
本発明は、街路や公園に散り落ちた落葉やごみ屑などを、風圧を利用して能率的に収集等するパワーブロワー、あるいは薬剤等の散布を行う動力散布機などに用いられる噴管構成部材の接合構造に関する。なお、以下、パワ−ブロワ−について説明する。
【０００２】
【従来の技術】
従来、街路や公園などの広い地表面の落葉やごみ屑などを収集するのに、例えば、パワーブロワーが用いられている。このパワーブロワーは、内燃エンジンなどの原動機と、この原動機によって駆動される送風ファンと、を備え、この送風ファンが発生した圧風を、互いに端部同士が回動自在に接合された噴管構成部材と、この噴管構成部材に接続された蛇腹式などの可撓管と、この可撓管に接続された噴口管と、を介して該噴口管の噴口から噴射するように機能する。
【０００３】
また、前記パワーブロワーは、前記噴口管及び噴口の向きを、作業者による手動操作により変えることにより、落葉やごみ屑などを地表面の所定箇所に吹き集められるように機能し、このため前記各噴管構成部材の接続部が、例えば、リング溝とリング突起などの嵌合によって、所定の気密性を保ちながら互いに回動自在に接続されている。さらに、前記噴管構成部材には、前記可撓管を介して先端に前記噴口を有する前記噴口管が接続されており、該噴口管の手動操作が所望方向に円滑に行えるようになっている。
【０００４】
【発明が解決しようとする課題】
しかしながら、かかる従来のパワーブロワーでは、送風機の作動性能の向上に伴って、前記送風ファンが発生する、風量、風圧が増大し、このため前記噴管構成部材、前記可撓管、前記噴口管内に発生する風圧モ−ド、風向モード等が複雑に変化して、下流側に位置する前記噴管構成部材、前記可撓管や前記噴口管が、作業者の意志にかかわらず、大きな動作で複雑な方向に向きを変えられたり、振動したり、さらに首振り運動したりすることがあった。
【０００５】
そして、前記運動は、前記噴管構成部材に伝えられ、前記噴管構成部材の一方に対する他方の前記噴管構成部材の回動を招き、この回動が、前記可撓管や前記噴口管の意に反した運動を増長し、結果的に前記噴口管からの圧風を、作業員の意に反する方向に噴出させ、所定箇所に落葉やごみ屑などの吹き集めを行うことができなくなる場合があった。
【０００６】
本発明は、前記のような従来の問題を解決するものであり、送風ファンが発生する風量、風圧が増大した場合などに、前記噴管構成部材の他方が、一方に対し回動するのを規制し、一方、前記風量、風圧をさほど大きくする必要がない場合には、その規制を解除することによって、作業者の任意による前記回動を可能にし、作業者による前記噴口管の操作を容易にして、目的とする方向へ前記噴口管からの圧風を噴射可能にし、以て落葉やごみ屑などの吹き集めを、能率的に実施できる噴管構成部材の接合構造を提供することを目的とする。
【０００７】
【課題を解決するための手段】
前記目的達成のために、本発明にかかる噴管構成部材の接合構造は、端部同士が回動自在に接合された噴管構成部材の接合部の外周に、前記噴管構成部材間の回動を規制及び規制解除自在の回動規制手段を設けたものであって、前記回動規制手段が、前記噴管構成部材の一方に架設された軸と、該軸に回動自在に支持され、該軸から離れた位置に係合凹部を有するバックル片と、前記噴管構成部材の他方に基部が軸支され、前記係合凹部に先端部が着脱自在に係止可能な係止リングと、を備え、該係止リングの前記先端部が、前記係止リングの前記基部と前記軸とを結ぶ中立線を越えるように前記バックル片を回動操作したとき、前記噴管構成部材の一方に対する他方の回動規制および回動規制解除を可能にしたことを特徴とする。
【０００８】
この態様により、送風ファンにより送出される風圧、風量が増大した場合などに、可撓管や噴口管などが複雑な運動をすることによって、前記噴管構成部材の一方が、他方に対し不所望に回動させられるのを規制し、これによって前記可撓管や前記噴口管の、作業員の意に反した運動、振動、首振りなどを抑え、パワーブロワーの操作性を改善することができる。
【００１０】
また、前記態様により、前記噴管構成部材の一方に設けられた前記係合凹部に、前記噴管構成部材の他方に設けられた前記係止リングの前記先端部を係止させて、前記バックル片を回動操作するのみで、前記各噴管構成部材同士の回動規制を確実に行うことができ、また、前記バックル片を逆方向に回動操作することにより、前記回動規制を容易に解除できる。
【００１４】
【発明の実施の形態】
本発明の実施の一形態を図面について説明する。図３は、パワ−ブロワ−の使用状態斜視図である。図示のパワ−ブロワ−Ｐは、背負架台４に、遠心ファン（図示せず）を内蔵したファンケースＦ、前記遠心ファンを駆動する原動機としての内燃エンジン９、その他、燃料タンク等が搭載され、さらに肩掛けバンド８により背負い式に構成されている。
【００１５】
図１には、本発明の噴管構成部材１，２の接合部Ｓを示す要部斜視図が示されている。すなわち、前記ファンケ−スＦと一体の、ファン吐風口を形成する一方の噴管構成部材１に、他方の噴管構成部材２が、回動規制手段であるバックル装置３を介して着脱自在に連結されている。
【００１６】
この構成において、図示しない前記遠心ファンにより送出される風が、前記図４に示す前記一方の噴管構成部材１、前記他方の噴管構成部材２、該他方の噴管構成部材２の下端部２ｂが差し込み接続された蛇腹状可撓管５、およびこの可撓管５に接続された噴口管６に順次供給され、下流端の噴口７から外部へ噴出される。図４に示す、１０は、前記噴口管６及び前記噴口７の向きを操作するためのハンドルである。
【００１７】
図１において、前記一方の噴管構成部材１は、前記ファンケ−スＦと一体成形された二つ割りの半円形のダクト状分割部１ａ，１ｂを、その流路軸線Ｏ−Ｏに沿って合わせて円筒状に構成され、これらの各ダクト状分割部１ａ，１ｂの下流端部に、突起部１１ａ，１１ｂが一体に設けられている。これらの突起部１１ａ，１１ｂの双方に、ボルトなどの締結具３２をねじ込むことにより、図示のように円筒状に組み立てられている。また、前記一方の噴管構成部材１の下流端部１ｃは、図１および図２に示すように、内周および外周が拡径された拡径部１２とされ、この拡径部１２の内周に、半円状断面のリング突起１３、および半矩形断面のリング突起１４が形成されている。
【００１８】
一方、前記他方の噴管構成部材２は、全体としてエルボ形の円筒体に一体成形されており、前記一方の噴管構成部材１と接合する上流端部２ａの外周に、半円状断面の前記リング突起１３および矩形断面の前記リング突起１４に対応して、互いに嵌合する、半円状断面のリング溝１５および矩形断面のリング溝１６が設けられている。したがって、前記一方の噴管構成部材１および前記他方の噴管構成部材２同士は回動自在に接合されている。なお、前記リング突起１３，１４および前記リング溝１５，１６の嵌合および接合は、前記一方噴管構成部材１が二つ割りであるので、前記締結具３２の緩締によって、容易に可能である。
【００１９】
そして、前記接合部Ｓの外周に、具体的には、前記他方の噴管構成部材２の接合部Ｓの外周に、山状の支持突起１７が一体に突設されており、該支持突起１７には、これに設けられた前記流路軸線Ｏ−Ｏに直交する方向に伸びる支持孔１７ａにその基部１８ａが挿入されて回動自在に軸支持された、例えば、金属製で、かつばね性がある矩形枠状の係止リング１８が取り付けられている。この係止リング１８は、前記バックル装置３の一部を構成し、図２に示すように、全体として円弧状に湾曲させられている。
【００２０】
これに対して、前記一方の噴管構成部材１の接合部Ｓの外周には、図１に示すように、二個のブラケット１９が間隔をあけて突設され、このブラケット１９，１９間に架設された前記係止リング１８の前記基部１８ａと平行な軸２０に、前記バックル装置３を構成するバックル片２１の基端２１ａが、回動自在に支持されている。さらに、前記バックル片２１の前記軸２０から離れた外側所定位置には、前記係止リング１８の先端部１８ｂを、図１に示すように係止するための係止凹部２２が設けられている。なお、図中の２１ｂは、前記係止凹部２２が設けられた部位から円弧状に延設された操作片部である。
【００２１】
以上の構成において、前記一方の噴管構成部材１の前記リング突起１３、１４と前記他方の噴管構成部材２の前記リング溝１５，１６とが嵌合させられ、前記一方の噴管構成部材１および前記他方の噴管構成部材２が互いに回動自在に接合された状態において、前記バックル装置３の前記係止リング１８の前記基部１８ａを、前記支持突起１７の前記支持孔１７ａに支持させた状態で回動操作し、その先端部１８ｂを、図２中の二点鎖線で示すように、前記流路軸線Ｏ−Ｏから離れて立ち上がっている状態の前記バックル片２１の前記係止凹部２２に係止する。この係止は、前記係止凹部２２が前記係止リング１８の前記基部１８ａに近い位置にあるため容易に行われる。
【００２２】
前記バックル片２１の前記係止凹部２２に対して前記係止リング１８の前記先端部１８ｂを係止した後は、前記バックル片２１の前記操作片部２１ｂを手で、前記軸２０を中心に、図２の実線で示す位置に向って強く押圧する。これにより、前記係止凹部２２に係止された前記係止リング１８の前記先端部１８ｂが、前記係止リング１８の回動中心（前記支持孔１７ａ）と、前記一方の噴管構成部材１の前記軸２０とを結ぶ中立線Ｃ−Ｃ上にある力の中立点を越え、前記一方の噴管構成部材１の外周面側へ自動的に偏位し、この偏位した所定位置を安定点として、そこに静止させられることになる。これによって、前記両噴管構成部材１，２は、前記嵌合部Ｓで相互に密に連結されて、その不所望の前記流路軸線Ｏ−Ｏ回りの自由回動が規制される。
【００２３】
従って、前記パワーブロワーＰの高性能化による風量、風圧の増大によって、前記噴管構成部材１，２、前記可撓管５、前記噴口管６内を通過する風圧モ−ド、風向モード等が、前記のように複雑に変化しても、前記バックル片２１の操作のみで、前記両噴管構成部材１，２の不所望の相互回動を規制できる。従って、作業者による前記噴口管６および前記噴口７の変位操作が容易となり、所定箇所への落葉やごみ屑などの収集を能率的に実施できる。
【００２４】
なお、回動規制を解除する場合には、前記バックル片２１を、前記と逆方向へ回動させれば、前記バックル片２１の前記係止凹部２２から、前記係止リング１８の前記先端部１８ｂを容易に外すことができ、前記両噴管構成部材１，２間の相互回動規制が解除され、前記一方の噴管構成部材１に対し、前記他方の噴管構成部材２は回動自在となる。
【００３５】
【発明の効果】
以上のように、本発明によれば、端部同士が相互回動自在に接合された噴管構成部材の接合部の外周に、回動規制部材を設けたので、送風ファンにより送出される風量、風圧が増大した場合にも、一方の前記噴管構成部材に対して、他方の前記噴管構成部材の回動を規制でき、これによって前記可撓管や前記噴口管の振動、首振りなどの運動を抑えて、パワーブロワーの操作性を改善できる。また、前記回動規制部材による前記噴管構成部材の相互回動規制を解除すれば、通常の風圧下における従来同様の前記噴口管操作によって、作業者が目的とする所定箇所への落葉やごみ屑などの収集を能率的に実施できる。さらに、前記噴管構成部材の一方に設けられた前記係合凹部に、前記噴管構成部材の他方に設けられた前記係止リングの前記先端部を係止させて、前記バックル片を回動操作するのみで、前記各噴管構成部材同士の回動規制を確実に行うことができ、前記バックル片を逆方向に回動操作することにより、前記回動規制を容易に解除できる。よって、回動規制及びその解除操作の操作性が良い。
【図面の簡単な説明】
【図１】  本発明の実施の一形態による噴管構成部材の接合構造を示す要部の斜視図である。
【図２】  図１に示す噴管構成部材の接合構造の要部断面図図である。
【図３】  パワ−ブロワ−の使用状態を示す斜視図である。
【符号の説明】
１      一方の噴管構成部材
１ｃ    （一方の噴管構成部材の）端部
２      他方の噴管構成部材
２ａ    （他方の噴管構成部材の）端部
３      バックル装置（回動規制手段）
１８    係止リング
１８ａ  （係止リングの）基部
１８ｂ  （係止リングの）先端部
２０    軸
２１    バックル片
２２    係合凹部
Ｓ      接合部
Ｃ−Ｃ  中立線
【図１】
0004123406.tif 000002
【図２】
0004123406.tif 000003
【図３】
0004123406.tif 000004